(57)【特許請求の範囲】
【請求項１】
ハロゲン化金属、水銀及び始動用希ガスを封入した発光部と、その両端に配置される一対の電極アセンブリを挿通したキャピラリとを透光性セラミックで形成した発光管が、透光性外管内に収納されると共に、前記ハロゲン化金属として少なくともヨウ化セリウムが添加されたセラミックメタルハライドランプにおいて、
前記外管の口金が形成された基端側から発光管の両側を通り先端側までその長手方向に沿って延びる二本の並行支柱を備えた閉ループ型の発光管支持フレームが、口金を介して電力供給を受けるステムリードに溶接固定されて外管内に配されると共に、前記並行支柱のうち１本は、少なくとも前記発光管の発光部位置に対応する部分が、非導電性部材で構成されていることを特徴とするセラミックメタルハライドランプ。
【請求項２】
前記発光管は、略楕円面状に形成された前記発光部の長軸方向両端側に前記キャピラリが角隅部のない遷移曲面を介して連続的に形成された請求項１記載のセラミックメタルハライドランプ。
【発明の詳細な説明】
【技術分野】
【０００１】
本発明は、本発明は、ハロゲン化金属としてヨウ化セリウムが添加されたセラミックメタルハライドランプに関するものである。
【背景技術】
【０００２】
メタルハライドランプは、高圧ナトリウムランプや水銀ランプに比して、最も自然光に近い光が放射されるので演色性に優れており、オフィスや店舗のベース照明としても用いられている。
そして、一般には、ＩＳＯ８９９５演色区分１Ｂ以上である平均演色評価数Ｒａ＝８０以上、相関色温度は３０００〜４５００Ｋの範囲となる高演色で暖色から白色と言われる範囲の光源が使用されているが、省エネの観点から、より発光効率の高いランプが求められている。
しかしながら、高演色性と高効率は相反する効果であり、演色性を向上させれば発光効率が低下し、発光効率を高くすれば演色性が低下する。
このため、従来のメタルハライドランプは、高効率・高演色を謳っていても、効率重視型または演色性重視型のいずれかに分類されることとなる。
この場合に、一般に、平均演色評価数Ｒａ≧８０であれば高演色であると評価され（ＩＳＯ８９９５の演色区分１Ｂ以上）、発光効率η≧１００程度であれば高効率であると評価される。
【０００３】
例えば、特許文献１に開示されたＤｙ−Ｈｏ−Ｔｍ系メタルハライドランプの最高データは、平均演色評価数Ｒａ＝８７と優れるが、発光効率η＝９３（ｌｍ／Ｗ）とやや劣るため、演色性重視型ということができる。
【０００４】
また、特許文献２に開示されたＮａ−Ｃｅ系メタルハライドランプは、Ｃｅの強烈な緑色発光により平均発光効率η＝１２３（ｌｍ／Ｗ）と優れるが、平均演色評価数Ｒａ＝６０とやや劣るため、効率重視型ということができる（特許文献２［００４９］参照）。
【０００５】
さらに、特許文献２［００８２］には「ＮａＩ以外にも、所望のランプ特性に応じて適宜、ディスプロシウム（Ｄｙ）、ツリウム（Ｔｍ）、ホルミウム（Ｈｏ）、タリウム（Ｔｌ）等を発光物質として添加してもよい。」と記載されているが、これらの物質を加えてＮａ−Ｃｅ系メタルハライドランプの発光封入物質の比率を調整しても、Ｃｅの強烈な緑色発光を抑えてＲａ＝７０以上にすることは困難であるだけでなく、発光物質としてＤｙ、Ｔｍ、Ｈｏ、Ｔｌを添加していくと、特許文献１のランプ特性に近づき発光効率は低下してしまう。
【０００６】
一方、従来の高演色セラミックメタルハライドランプは、発光管を収納する透光性外管を真空にして発光管の保温効果を高めることにより高演色性・高発光効率を実現しているが、この場合、消灯時に発光管が冷却されにくいことから、消灯後再度点灯されるまでの再始動時間が２５分から３０分ほどかかっており、これを１５分程度まで短縮することが望まれている。
【０００７】
始動パルス電圧を高めることで再始動時間を短縮することもできるが、試作ランプにおいて透光性外管内を真空とし、１５分以内に再始動できるパルス電圧を測定したところ、３ｋＶ以上の高電圧パルスが必要だとわかった。
最近の安全・安心指向重視の使用環境においては、始動電圧もせいぜい１〜１.５ｋＶ程度が適当と考えられている。水銀灯安定器で点灯する低始動電圧タイプの一般照明用ランプにおいては、３ｋＶの高電圧パルスを発生させることは安全性の面で避けることが望ましい。
【０００８】
そこで、本発明者は、メタルハライドランプにおいて相反する効果である高演色性及び高効率を両立させ、具体的には、平均演色評価数Ｒａ≧８０という高演色性を維持しつつ、発光効率η≧１００（ｌｍ／Ｗ）という高効率を達成すると共に、従来ランプと同程度の始動パルス電圧で再始動時間を短縮させるランプを開発した（特願２００９−１４８３５８号参照）。
【０００９】
このランプ２０は、図３に示すように、ハロゲン化金属、水銀及び始動用希ガスを封入した発光部２と、その両端に配置されるキャピラリ３Ａ、３Ｂとを透光性セラミックで形成した発光管１が、透光性外管１０内に収納されている。
発光管内径はキャピラリ３Ａ及び３Ｂの部分ではほぼ一定だが、発光部ではその中央部に向かって拡径している。このように発光管内径が拡径を始める位置を発光部２とキャピラリ３Ａまたは３Ｂとの境界としている。
発光部２の両端に形成されたキャピラリ３Ａ、３Ｂには、電極５Ａ、５Ｂを備えた一対の電極アセンブリ６Ａ、６Ｂが挿通されて気密にシールされている。
そして、外管１０内には、口金１１が形成された外管１０の基端１０Ａ側から発光管１の両側を通り先端１０Ｂ側までその長手方向に沿って延びる二本の並行支柱１２Ｒ，１２Ｌの先端に位置決め金具１３が溶接された閉ループ型の給電兼用発光管支持フレーム２１が配されている。
【００１０】
この支持フレーム２１は、両端を外管先端側に折り曲げて形成された二本の並行支柱１２Ｒ，１２Ｌの先端側に、外管先端１０Ｂに内面当接されて支持フレーム２１の位置ずれを防ぐリング状の位置決め金具１３が溶接されて図３の方向から見て方形の閉ループ型に形成され、一対のサポートディスク１６Ａ、１６Ｂを介して発光管１を支持している。
支持フレーム２１は、閉ループ型に形成されているため剛性が高く、外力が作用しても変形しにくく、搬送中にランプ２０に外力が作用して振動したときなどに支持フレーム２１の変形などに起因して発光管１が位置ずれしたり、その両端に形成された強度的に弱いキャピラリ３Ａ、３Ｂが破損することがない。
特に、始動器内蔵型のランプにあっては、支持フレーム２１に回路部品が取り付けられるため、支持フレーム２１の剛性が高ければ、振動などの影響により始動回路が破壊されることが少ない。
【００１１】
そして、口金１１内側に形成されたステム１４には、当該口金１４を介して電力供給を受ける一対のステムリード１８Ａ，１８Ｂが立設されており、発光管１のキャピラリ３Ａから突出した一方の電極リード７Ａが一方のステムリード１８Ａに接続され、他方の電極リード７Ｂが、他方のステムリード１８Ｂに溶接された支持フレーム２１の先端側に取り付けられた金属リード２２を介して給電されるようになっている。
【００１２】
すなわち、導体である支持フレーム２１は口金１０が形成された外管１０の基端１０Ａ側から、発光管１の電極リード７Ｂが配置される先端１０Ｂ側まで延びているので、このフレーム２１を給電部材として用いることが従来の技術常識であった。
【００１３】
また、発光管内には、ハロゲン化金属として、少なくともヨウ化ツリウム、ヨウ化タリウム、ヨウ化ナトリウム及びヨウ化カルシウムが封入されると共に、ヨウ化ナトリウム及びヨウ化カルシウムが、全ハロゲン化金属に対して夫々４０〜８０％及び３０％未満のモル比率で封入されている。
そして必要に応じ、例えば発光効率を向上させる場合には、ヨウ化セリウムが全ハロゲン化金属に対して５％以下のモル比率で封入される。
【００１４】
このランプ２０にヨウ化セリウムを加えた場合は、安定点灯すれば演色性・発光効率に優れたランプとなるが、垂直点灯させた場合に、点灯初期の数十時間の間、アークが安定せず、アークが曲がるアーク揺れを生じたり、ランプ電圧が大きく変化して、発光色が変化したり立消えを生ずる場合があることが判明した。これはセリウムを入れたランプで見られる特有な現象である。
【００１５】
すなわち、発光管１の先端側の電極５Ｂに対して閉ループ型の支持フレーム２１の先端側に接続した金属リード２２を介して給電しているため、ステム１４に立てられたステムリード１８Ｂから二本の並行支柱１２Ｒ、１２Ｌを介して金属リード２２に達する二つの給電ルートが形成されることとなる。
したがって、給電を開始し、例えば、図４に示すように、各並行支柱１２Ｒ、１２Ｌに矢印Ａ１方向に電流が流れると、磁界Ｂ１、Ｂ２が形成され、その磁界Ｂ１、Ｂ２中に発光部２が位置する。
【００１６】
電極５Ａ、５Ｂ間のアークは矢印Ａ２方向に電流が流れるため、アークに対しては、フレミング左手の法則により夫々の並行支柱１２Ｒ、１２Ｌから離れる方向に力Ｗ１、Ｗ２が働く。
すなわち、このとき、並行支柱１２Ｒ、１２Ｌの中間部分で全く反対方向の二つの磁界Ｂ１、Ｂ２が作用しているので、アークに対しても、反対向きの二つの力Ｗ１、Ｗ２が同時に作用する。
次いで、交流により極性が反転され、各並行支柱１２Ｒ、１２Ｌに反矢印Ａ１方向に電流が流れ、電極５Ａ、５Ｂ間で反矢印Ａ２方向に電流が流れても、並行支柱１２Ｒ、１２Ｌの中間部分で全く反対方向の二つの磁界が生成され、アークに対して夫々の並行支柱１２Ｒ、１２Ｌから離れる方向に力が働くので、同様の現象が生ずる。
そのため、アークは両側から押されるので、その力の方向（図４で見て左右方向）には行き場がなくなり、これに直交する方向（図４で見て紙面の手前側か又は奥側の方向）に曲がり不安定な状態になる。
しかも、セリウム入りの場合点灯初期には発光管内に存在する余剰添加物が均等に蒸発していないためか、アーク放電の道筋が安定しない。このように力のバランスが微妙に崩れることによりアークが行ったり来たりを繰り返してアーク揺れを生じていると考えられる。
【先行技術文献】
【特許文献】
【００１７】
【特許文献１】特開２００３−１８７７４４号公報
【特許文献２】特開２００３−０８６１３０号公報
【発明の概要】
【発明が解決しようとする課題】
【００１８】
そこで、本発明は、閉ループ型の支持フレームが形成されている場合に、ヨウ化セリウムを発光管に添加しても、点灯初期からアークを安定できるようにすることを技術的課題としている。
【課題を解決するための手段】
【００１９】
この課題を解決するために、本発明は、ハロゲン化金属、水銀及び始動用希ガスを封入した発光部と、その両端に配置される一対の電極アセンブリを挿通したキャピラリとを透光性セラミックで形成した発光管が、透光性外管内に収納されると共に、前記ハロゲン化金属として少なくともヨウ化セリウムが添加されたセラミックメタルハライドランプにおいて、前記外管の口金が形成された基端側から発光管の両側を通り先端側までその長手方向に沿って延びる二本の並行支柱を備えた閉ループ型の発光管支持フレームが、口金を介して電力供給を受けるステムリードに溶接固定されて外管内に配されると共に、前記並行支柱のうち１本は、少なくとも前記発光管の発光部位置に対応する部分が、非導電性部材で構成されていることを特徴としている。
【発明の効果】
【００２０】
本発明に係るセラミックメタルハライドランプによれば、発光管を支持する閉ループ型の支持フレームが配されている場合に、この支持フレームの一部を非導電性部材としている。
これにより、発光管の両側に位置する二本の並行支柱の一方のみに電流が流れるので、並行支柱間に反対方向の磁界が形成されることがない。
通電されているほうの並行支柱の周りに磁界が形成されるが、アークが形成される部分に一方向の磁界しか形成されないので、その磁界の影響を受けても、アークが不安定になることが少ない。
支持フレームが閉ループ型に形成されているため外力が作用しても変形しにくく、発光管の両端に形成された強度的に弱いキャピラリを支持する場合に、搬送中にランプに外力が作用して振動したときなどにフレームの変形などに起因して発光管が位置ずれしたり、破損したりすることがない。
また、始動器内蔵型のランプにあっては、閉ループ型の支持フレームに取り付けられた始動回路部品が、フレームの変形により破壊されることがない。
【図面の簡単な説明】
【００２１】
【図１】本発明に係るセラミックメタルハライドランプの一例を示す説明図。
【図２】その通電時にアークに作用する力を示す図。
【図３】従来のセラミックメタルハライドランプを示す説明図。
【図４】その通電時にアークに作用する力を示す図。
【発明を実施するための形態】
【００２２】
ヨウ化セリウムを発光管に添加しても、点灯初期からアークを安定できるようにするという目的を達成するために、ハロゲン化金属、水銀及び始動用希ガスを封入した発光部と、その両端に配置される一対の電極アセンブリを挿通したキャピラリとを透光性セラミックで形成した発光管が、透光性外管内に収納されると共に、前記ハロゲン化金属としてヨウ化セリウムが添加されたセラミックメタルハライドランプにおいて、口金が形成された外管の基端側から発光管の両側を通り先端側までその長手方向に沿って延びる二本の並行支柱を備えた閉ループ型の発光管支持フレームが、口金を介して電力供給を受けるステムリードに溶接固定されて外管内に配設されると共に前記並行支柱のうち１本は、少なくとも前記発光管の発光部位置に対応する部分が、非導電性部材となるように構成する。
【実施例１】
【００２３】
図１に示すセラミックメタルハライドランプＬは、片端に口金１１を形成した透光性外管１０内に、発光管１と、その電極５Ａ，５Ｂ間に始動電圧を供給する非線形セラミックコンデンサなどからなる始動器９が配されている。
発光管１は、楕円の長軸を回転軸として回転させたような略楕円球状に形成された発光部２の長軸方向両端側に、一対のキャピラリ３Ａ、３Ｂが角隅部のない遷移曲面４を介して連続的に形成されており、発光部２には、ハロゲン化金属、水銀及び始動用希ガスが封入されている。
発光管内径はキャピラリ３Ａ及び３Ｂの部分ではほぼ一定だが、発光部ではその中央部に向かって拡径している。このように発光管内径が拡径を始める位置を発光部２とキャピラリ３Ａまたは３Ｂとの境界としている。
【００２４】
本例の発光管１は、発光部２とキャピラリ３Ａ、３Ｂを透光性アルミナの粉末圧縮体を型取りして一体成形した所謂１ピースタイプのものを用いている。
発光部２の両端に形成されたキャピラリ３Ａ、３Ｂには、電極５Ａ、５Ｂを備えた一対の電極アセンブリ６Ａ、６Ｂが挿通されて、そのキャピラリ３Ａ、３Ｂの両端が、電気絶縁性を有するフリットガラスなどのシール材によって気密にシールされると同時に、該シール材によって電極アセンブリ６Ａ、６Ｂが、キャピラリ３Ａ、３Ｂ内の定位置に固定されている。
【００２５】
なお、発光部２には、ハロゲン化金属として、少なくともヨウ化ツリウム（ＴｍＩ３）、ヨウ化タリウム（ＴｌＩ）、ヨウ化ナトリウム（ＮａＩ）及びヨウ化カルシウム（ＣａＩ２）が封入されると共に、ヨウ化ナトリウム（ＮａＩ）及びヨウ化カルシウム（ＣａＩ２）が、全ハロゲン化金属に対して夫々４０〜８０％及び３０％未満のモル比率で封入されている。
また、ヨウ化セリウム（ＣｅＩ３）が全ハロゲン化金属に対して５％以下のモル比率で封入されている。
【００２６】
また、外管１０内には、口金１１が形成された外管１０の基端１０Ａ側から先端１０Ｂ側までその長手方向に沿って延びる二本の並行支柱１２Ｒ，１２Ｌを備えた閉ループ型の発光管支持フレームＦが配されている。
この支持フレームＦは、金属線状部材１２の両端を外管１０の先端１０Ｂ側に向かって折り曲げることにより長さの等しい二本の並行支柱１２Ｒ，１２Ｌが形成され、その先端に、外管先端１０Ｂの内面に当接されてフレーム先端の位置ずれを防ぐリング状の位置決め金具１３が溶接されることにより、図１で見て方形の閉ループ型に形成されている。
【００２７】
ただし二本の並行支柱のうち、並行支柱１２Ｒの一部は非導電性のセラミック棒で構成されている。セラミック棒は、発光部２の位置を外周方向に広げたときに並行支柱１２Ｒと接触する範囲より少し長めにするのが良い。すなわち発光部位置を外周方向に広げた空間には給電線の機能をはたす導電線は１本しか存在しない。原理的には発光管１の点灯時にアークが発生している位置に対応する範囲のみがセラミック棒に置き換えられていれば本発明の効果は発揮されるが、実用上、部品の位置公差なども勘案すると、少なくとも発光部２に対応する範囲をセラミック棒に置き換えておくことで、本発明の効果が確実に発揮される。並行支柱１２Ｒの導電部と非導電部との接続は、例えばカーボン抵抗器両端のリード線接続方法と同じく、非導電部であるセラミック棒に金属キャップをカシメ固定した上、この金属キャップと並行支柱１２Ｒの導電部である金属線とを突合せ溶接により接続すればいい。
【００２８】
そして、二本の並行支柱１２Ｒ，１２Ｌには、一対のサポートディスク１６Ａ、１６Ｂが取り付けられ、その中心に形成された挿通孔（図示せず）にキャピラリ３Ａ、３Ｂが挿通されて発光管１が取り付け支持されると共に、このディスク１６Ａ、１６Ｂに透光性スリーブ１７が発光部２を囲むように固定されている。
【００２９】
そして、口金１１内側に形成されたステム１４には、当該口金１４を介して電力供給を受ける一対のステムリード１８Ａ，１８Ｂが立設されており、発光管１のキャピラリ３Ａから突出した一方の電極リード７Ａは一方のステムリード１８Ａに接続される。他方の電極リード７Ｂは、他方のステムリード１８Ｂに溶接された支持フレームＦの口金１１側から並行支柱１２Ｌのみを通り、支持フレームＦの先端側に取り付けられた金属リード２２を介して給電されるようになっている。
さらに、前記始動器９は、電力供給リード７Ａ、７Ｂ間に電気的に接続されている。
【００３０】
以上が本発明の一構成例であって、次にその作用について説明する。
セラミックメタルハライドランプＬの口金１１を灯具ソケット（図示せず）に装着し、スイッチ（図示せず）をオンすると、電極５Ａ、５Ｂ間にランプ電流が流れて点灯する。
このとき、並行支柱１２Ｒの発光部２付近には非導電性部材２３が設けられているため電流は流れないし磁界の影響も受けない。
【００３１】
したがって、図２に示すように、アークが形成される電極５Ａ，５Ｂ間に磁界を形成する要素としては、一本の並行支柱１２Ｌが存在するのみであり、その並行支柱１２Ｌに例えば矢印Ａ１方向にランプ電流が供給されると、並行支柱１２Ｌの周りに磁界Ｂが形成される。
電極５Ａ、５Ｂ間にはアークが形成されているので、磁界Ｂ中に給電ワイヤ８を流れる電流とは反対の矢印Ａ２方向に電流が流れることになり、アークに対しては、フレミング左手の法則により並行支柱１２Ｌから離れる方向の力Ｗが働く。
【００３２】
また、その並行支柱１２Ｌに例えば反矢印Ａ１方向にランプ電流が供給されると、給電ワイヤ８の周りに磁界Ｂとは反対向きの磁界が形成されるが、電極５Ａ、５Ｂ間にアークが生成されると、電極５Ａ，５Ｂ間には並行支柱１２Ｌを流れる電流とは反対の反矢印Ａ２方向に電流が流れることになり、アークに対しては、フレミング左手の法則により並行支柱１２Ｌから離れる方向の力Ｗが働く。
【００３３】
すなわち、いずれの方向にランプ電流が流れても、アークに対しては、並行支柱１２Ｌから離れる同一方向の力Ｗが作用するのみで、反対方向（並行支柱１２Ｌに近づく方向）の力が同時に作用したり、交流ランプ電流により交番的に作用して複数の方向に順次引っ張られたりすることがないので、アークが不安定になりにくいという作用効果を奏する。
【産業上の利用可能性】
【００３４】
以上述べたように、本発明は、オフィスや店舗のベース照明として用いられるセラミックメタルハライドランプの用途に適用できる。
【符号の説明】
【００３５】
Ｌ………セラミックメタルハライドランプ
１………発光管  
２………発光部  
３Ａ、３Ｂ………キャピラリ
５Ａ、５Ｂ………電極  
６Ａ、６Ｂ………電極アセンブリ
１０………外管
１１………口金
１０Ａ………基端
１０Ｂ………先端
１２Ｒ、１２Ｌ………並行支柱
Ｆ………支持フレーム
【図１】
0005459051.tif 000002
【図２】
0005459051.tif 000003
【図３】
0005459051.tif 000004
【図４】
0005459051.tif 000005